【事件の表示】
　特許第３３７８３５１号「田植機」の請求項１、２に係る特許に対する特許異議の申立てについて、次のとおり決定する。
【結　論】
　訂正を認める。
　特許第３３７８３５１号の請求項１ないし２に係る特許を維持する。
【理　由】
１．手続の経緯
　本件特許第３３７８３５１号についての特許出願は、平成６年４月１３日に特許出願したものであり、平成１４年１２月１６日にその発明について特許の設定登録がされたものであって、その後、井関農機株式会社より特許異議の申立てがなされ、平成１６年３月２日付けで取消しの理由が通知され、その指定期間内である平成１６年５月１１日付けで意見書とともに訂正請求書が提出され、平成１６年８月９日に特許異議申立人に対して審尋をし、それに対する回答書の提出がなされなかったものである。
　
２．訂正の適否についての判断
２−１．訂正の内容
（１）訂正事項ａ
　特許明細書の特許請求の範囲の請求項１の
「複数の整地フロート（１５）、複数の植付アーム（１４）、苗載せ台（１０）夫々を備えると共に、伝動ケースに整地フロート（１５）と苗植付アーム（１４）との相対位置の調整で苗植付深さを調節するよう横向き姿勢の軸芯周りで揺動自在に植付深さ調節軸（１７）を備え、この植付け深さ調整軸（１７）を単一の操作レバー（１９）に連結して該操作レバー（１９）の調節操作により苗植付け深さを調節すべく複数条植え用に構成した苗植付装置（Ａ）を走行機体に連結して成る田植機であって、
　前記苗植付装置（Ａ）を、植付条単位で機体横方向への張出し量を減ずる格納姿勢と姿勢変更を行わない作業姿勢とに切換え自在に構成し、また、前記植付深さ調節軸（１７）に、苗植付装置（Ａ）の姿勢変更に伴ない分割と一体回転状態になる連結とを許容する連結部（Ｂ）を形成して、該連結部（Ｂ）が前記苗植付装置（Ａ）の伝動ケースが作業姿勢から格納姿勢となる姿勢変更に伴ない分割され、作業姿勢に姿勢変更されると一体回転状態に連結されるように構成してある田植機。」を、
「複数の整地フロート（１５）、複数の植付アーム（１４）、苗載せ台（１０）夫々を備えると共に、
植付アーム（１４）に動力を伝達する機構を内蔵したケース（１１）（１２）
　前記苗植付装置（Ａ）を、植付条単位で機体横方向への張出し量を減ずる格納姿勢と姿勢変更を行わない作業姿勢とに切換え自在に構成し、
前記ケース（１１）（１２）に対してユニバーサルジョイントを備えた軸（４３）を介して動力伝達されるように構成すると共に、
前記苗植付装置（Ａ）の前記ケース（１１）（１２）が作業姿勢から格納姿勢となる姿勢変更に伴ない、前記ケース（１１）（１２）は前記ユニバーサルジョイントを備えた軸（４３）を介して連結したまま姿勢変更され、前記連結部（Ｂ）は前記苗植付装置（Ａ）の前記ケース（１１）（１２）
（２）訂正事項ｂ
　特許明細書の特許請求の範囲の請求項２の
「複数の整地フロート（１５）、複数の植付アーム（１４）、苗載せ台（１０）夫々を備えると共に、伝動ケースに前記苗載せ台（１０）を横方向に摺動自在に支持する摺動レール（２１）と苗植付アーム（１４）との相対位置の調整で苗取量を調節するよう横向き姿勢の軸芯周りで揺動自在に苗取量調節軸（２３）を備え、この苗取量調節軸（２３）を単一の操作レバー（２６）に連結して該操作レバー（２６）の調節操作により苗取量を調節すべく複数条植え用に構成した苗植付装置（Ａ）を走行機体に連結して成る田植機であって、
　前記苗植付装置（Ａ）を、植付条単位で機体横方向への張出し量を減ずる格納姿勢と姿勢変更を行わない作業姿勢とに切換え自在に構成し、また、前記苗取量調節軸（２３）に、苗植付装置（Ａ）の姿勢変更に伴ない分割と一体回転状態になる連結とを許容する連結部（Ｃ）を形成して、該連結部（Ｃ）が前記苗植付装置（Ａ）の伝動ケースが作業姿勢から格納姿勢となる姿勢変更に伴ない分割され、作業姿勢に姿勢変更されると一体回転状態に連結されるように構成してある田植機。」を、
「複数の整地フロート（１５）、複数の植付アーム（１４）、苗載せ台（１０）夫々を備えると共に、
植付アーム（１４）に動力を伝達する機構を内蔵したケース（１１）（１２）
　前記苗植付装置（Ａ）を、植付条単位で機体横方向への張出し量を減ずる格納姿勢と姿勢変更を行わない作業姿勢とに切換え自在に構成し、
前記ケース（１１）（１２）に対してユニバーサルジョイントを備えた軸（４３）を介して動力伝達されるように構成すると共に、
前記苗植付装置（Ａ）の前記ケース（１１）（１２）が作業姿勢から格納姿勢となる姿勢変更に伴ない、前記ケース（１１）（１２）は前記ユニバーサルジョイントを備えた軸（４３）を介して連結したまま姿勢変更され、前記連結部（Ｃ）は前記苗植付装置（Ａ）の前記ケース（１１）（１２）
（３）訂正事項ｃ
　特許明細書の段落【０００９】を、
「【課題を解決するための手段】
　本第１発明の特徴は、複数の整地フロート、複数の植付アーム、苗載せ台夫々を備えると共に、
植付アームに動力を伝達する機構を内蔵した
　前記苗植付装置を、植付条単位で機体横方向への張出し量を減ずる格納姿勢と姿勢変更を行わない作業姿勢とに切換え自在に構成し、
前記ケースに対してユニバーサルジョイントを備えた軸を介して動力伝達されるように構成すると共に、
前記苗植付装置の前記ケースが作業姿勢から格納姿勢となる姿勢変更に伴ない、前記ケースは前記ユニバーサルジョイントを備えた軸を介して連結したまま姿勢変更され、前記連結部は前記苗植付装置の前記ケース
（４）訂正事項ｄ
　特許明細書の段落【００１０】を、
「本第２発明の特徴は、複数の整地フロート、複数の植付アーム、苗載せ台夫々を備えると共に、
植付アームに動力を伝達する機構を内蔵した
　前記苗植付装置を、植付条単位で機体横方向への張出し量を減ずる格納姿勢と姿勢変更を行わない作業姿勢とに切換え自在に構成し、
前記ケースに対してユニバーサルジョイントを備えた軸を介して動力伝達されるように構成すると共に、
前記苗植付装置の前記ケースが作業姿勢から格納姿勢となる姿勢変更に伴ない、前記ケースは前記ユニバーサルジョイントを備えた軸を介して連結したまま姿勢変更され、前記連結部は前記苗植付装置の前記ケース
（５）訂正事項ｅ
　特許明細書の段落【００１１】を、
「【作用】
　上記第１発明（請求項１）の特徴によると、苗植付装置を格納姿勢に切換える際には、植付深さ調節軸を連結部の部位で分割しておく、若しくは、分割を許す状態に設定しておき、苗植付装置の機体横方向への張出し量を減ずる姿勢に変更することで、格納操作を行い得るものとなり、逆に、格納姿勢から作業姿勢に切換え操作する場合には、苗植付装置の姿勢変更と共に
植付アームに動力を伝達する機構を内蔵した
尚、植付アームに動力を伝達する機構を内蔵したケースは、該ケースが作業姿勢から格納姿勢となる姿勢に姿勢変更されてもユニバーサルジョイントを備えた軸を介して連結されたままで、前記ケースに動力が伝達される動力伝達系（軸）は分離されない。
（６）訂正事項ｆ
　特許明細書の段落【００１３】を、
「上記第２発明（請求項２）の特徴によると、苗植付装置を格納姿勢に切換える際には、苗取量調節軸を連結部の部位で分割しておく、若しくは、分割を許す状態に設定しておき、苗植付装置の機体横方向への張出し量を減ずる姿勢に変更することで、格納操作を行い得るものとなり、逆に、格納姿勢から作業姿勢に切換え操作する場合には、苗植付装置の姿勢変更と共に
植付アームに動力を伝達する機構を内蔵した
尚、植付アームに動力を伝達する機構を内蔵したケースは、該ケースが作業姿勢から格納姿勢となる姿勢に姿勢変更されてもユニバーサルジョイントを備えた軸を介して連結されたままで、前記ケースに動力が伝達される動力伝達系（軸）は分離されない。
　
２−２．訂正の目的の適否、新規事項の有無及び拡張・変更の存否
（１）訂正事項ａについて
　上記訂正事項ａは、請求項１において、「伝動ケース」を「植付アーム（１４）に動力を伝達する機構を内蔵したケース（１１）（１２）」と伝動ケースの記載を明確化すると共に、「ケース（１１）（１２）に対してユニバーサルジョイントを備えた軸（４３）を介して動力伝達されるように構成」したこと、及び、「苗植付装置（Ａ）のケース（１１）（１２）が作業姿勢から格納姿勢となる姿勢変更に伴ない、前記ケース（１１）（１２）はユニバーサルジョイントを備えた軸（４３）を介して連結したまま姿勢変更」されるようにしたことに、それぞれ減縮するものである。この訂正は、特許時の明細書の段落【００２４】の「植付フレーム３９には４条ずつに２分割された苗載せ台１０Ａ、整地フロート１５、及び、前記左右の伝動ケース１１が支持され、機体からの動力が伝えられる出力軸４１からの動力が、この伝動ケース１１に対してベベルケース４２、中間軸４３を介して伝えられる。尚、ベベルケース４２と中間軸４３とは一体的に出力軸４１から分離自在に構成され、中間軸４３は筒状軸にスプライン嵌合状態に軸体を内嵌する構造により伸縮自在に構成され、また、両端部にユニバーサルジョイントを備えることにより屈曲自在に構成されている。」との記載、図５，６の記載に基づくものであるから、上記訂正事項ａは、特許請求の範囲の減縮を目的とした明細書の訂正に該当し、新規事項の追加に該当せず、実質上特許請求の範囲を拡張し、又は変更するものではない。
（２）訂正事項ｂについて
　上記訂正事項ｂは、特許時の明細書の請求項２を、請求項１に係る上記訂正事項ａと同じ構成を減縮したものである。
（３）訂正事項ｃ乃至ｆについて
　上記訂正事項ｃ及びｄは、上記訂正事項ａ，ｂと整合を図るものであるから、明りょうでない記載の釈明を目的とした明細書の訂正に該当し、新規事項の追加に該当せず、実質上特許請求の範囲を拡張し、又は変更するものではない。
　また、上記訂正事項ｅ及びｆは、段落【００１１】及び【００１３】の末尾に、明りょうでない記載の釈明を目的として、請求項１及び請求項２の訂正に伴う作用の記載を、特許時の明細書の段落【００２４】及び図５，６の記載から自明な事項として追加したものである。
　
２−３．むすび
　したがって、上記訂正は、特許法等の一部を改正する法律（平成６年法律第１１６号）附則第６条第１項によりなお従前の例によるとされる特許法第１２０条の４第３項において準用する平成６年法律第１１６号による改正前の特許法第１２６条第１項ただし書、第２項及び第３項の規定に適合するので、当該訂正を認める。
　
３．特許異議の申立てについて
３−１．本件発明
　本件特許第３３７８３５１号の請求項１及び２に係る発明（以下、それぞれ「本件発明１」「本件発明２」という）は、上記訂正に係る訂正明細書の特許請求の範囲の請求項１及び２に記載された次のとおりのものである。
　
【請求項１】　複数の整地フロート（１５）、複数の植付アーム（１４）、苗載せ台（１０）夫々を備えると共に、植付アーム（１４）に動力を伝達する機構を内蔵したケース（１１）（１２）にフロート（１５）と苗植付アーム（１４）との相対位置の調整で苗植付深さを調節するよう横向き姿勢の軸芯周りで揺動自在に植付深さ調節軸（１７）を備え、この植付け深さ調整軸（１７）を単一の操作レバー（１９）に連結して該操作レバー（１９）の調節操作により苗植付け深さを調節すべく複数条植え用に構成した苗植付装置（Ａ）を走行機体に連結して成る田植機であって、
　前記苗植付装置（Ａ）を、植付条単位で機体横方向への張出し量を減ずる格納姿勢と姿勢変更を行わない作業姿勢とに切換え自在に構成し、前記ケース（１１）（１２）に対してユニバーサルジョイントを備えた軸（４３）を介して動力伝達されるように構成すると共に、前記植付深さ調節軸（１７）に、苗植付装置（Ａ）の姿勢変更に伴ない分割と一体回転状態になる連結とを許容する連結部（Ｂ）を形成して、前記苗植付装置（Ａ）の前記ケース（１１）（１２）が作業姿勢から格納姿勢となる姿勢変更に伴ない、前記ケース（１１）（１２）は前記ユニバーサルジョイントを備えた軸（４３）を介して連結したまま姿勢変更され、前記連結部（Ｂ）は前記苗植付装置（Ａ）の前記ケース（１１）（１２）が作業姿勢から格納姿勢となる姿勢変更に伴ない分割され、作業姿勢に姿勢変更されると一体回転状態に連結されるように構成してある田植機。
【請求項２】　複数の整地フロート（１５）、複数の植付アーム（１４）、苗載せ台（１０）夫々を備えると共に、植付アーム（１４）に動力を伝達する機構を内蔵したケース（１１）（１２）に前記苗載せ台（１０）を横方向に摺動自在に支持する摺動レール（２１）と苗植付アーム（１４）との相対位置の調整で苗取量を調節するよう横向き姿勢の軸芯周りで揺動自在に苗取量調節軸（２３）を備え、この苗取量調節軸（２３）を単一の操作レバー（２６）に連結して該操作レバー（２６）の調節操作により苗取量を調節すべく複数条植え用に構成した苗植付装置（Ａ）を走行機体に連結して成る田植機であって、
　前記苗植付装置（Ａ）を、植付条単位で機体横方向への張出し量を減ずる格納姿勢と姿勢変更を行わない作業姿勢とに切換え自在に構成し、前記ケース（１１）（１２）に対してユニバーサルジョイントを備えた軸（４３）を介して動力伝達されるように構成すると共に、前記苗取量調節軸（２３）に、苗植付装置（Ａ）の姿勢変更に伴ない分割と一体回転状態になる連結とを許容する連結部（Ｃ）を形成して、前記苗植付装置（Ａ）の前記ケース（１１）（１２）が作業姿勢から格納姿勢となる姿勢変更に伴ない、前記ケース（１１）（１２）は前記ユニバーサルジョイントを備えた軸（４３）を介して連結したまま姿勢変更され、前記連結部（Ｃ）は前記苗植付装置（Ａ）の前記ケース（１１）（１２）が作業姿勢から格納姿勢となる姿勢変更に伴ない分割され、作業姿勢に姿勢変更されると一体回転状態に連結されるように構成してある田植機。
　
３−２．平成１６年３月２日付けの取消理由の概要
　当審は、平成１６年３月２日付けで通知した取消理由通知で、本件発明１及び２は、下記の引用例１，２に記載された発明から当業者が容易に発明することができたものであるから、本件発明１及び２についての特許は、特許法第２９条第２項の規定に違反してされたものである旨通知した。
　
　引用例１：特開平５−２８４８２２号公報（申立人の提出した甲第１号証）
　引用例２：実願昭５９−１６９５９８号（実開昭６１−８３８２４号）のマイクロフィルム（申立人の提出した甲第２号証のマイクロフィルム）
　
３−２−１．引用例に記載された発明
（１）引用例１
　引用例１［特開平５−２８４８２２号公報］には、
(1-1)　段落【０００１】に、
「【産業上の利用分野】この発明は、横巾の狭い走行車体に横巾の広い苗植装置を装着して構成する苗植機に用いるもので、苗植装置を用いないときに、これを折り曲げてその巾を狭くしようとするものである。」と、
(1-2)　段落【０００５】に、
「【作用】この発明は、上記のように構成するので、伝動歯車箱５と苗載台６と苗植杆７からなる一組の苗植ユニット２９が横移動装置１５で外側に移動するとき、これと回動しない部材との結合が解かれ、さらに、その伝動軸と移動しない側との結合が解かれる。そして、これが外側に移動したのち、回動装置２０で折り曲げられる。逆に、これから元に戻すときには、回動装置２０で折り曲げが戻されたのち、横移動装置１５で内向に移動され、この移動で固定側の部材への結合と動力伝達軸の接続が行われる。」と、
(1-3)　段落【０００７】に、
「【実施例】つぎに、この発明の実施例を説明する。図１のように、走行車体１の後に８条植の苗植装置２がリンク３で装着されて乗用型の苗植機となっている。シリンダ４が走行車体１に取付けられ、これから突出したピストンロッドが上側のリンク３に接続し、ピストンロッドの出没でリンク３の後端が上下し、これにともなって苗植装置２が上下に移動するように出来ている。その苗植装置２は、中心よりも左右に位置している４条分ごとの伝動歯車箱５、苗載台６および苗植杆７の２組の苗植ユニット２９で構成されている。」と、
(1-4)　段落【００１１】に、
「……両横に爪２７を備えた軸２８が中央歯車箱２３の後部に配置され、傘歯車で入力軸２５につながって回転するようになっている。」と、
(1-5)　段落【００１２】に、
「一対の伝動歯車箱５の先端がそれぞれの可動枠１７の後の面に固定され、横軸３０が内端を外に突出してその前部に配置され、可動枠１７が外に向って移動すると、その内端の爪３１が上記の爪２７から離れ、内に向って移動すると、爪３１が爪２７に咬み合うように出来ている。図２および図４のように、それぞれの伝動歯車箱５の両横から一対の植付ケース３２が後に伸び、その後部の両端に旋回ケース３３が取付けられ、それぞれの旋回ケース３３の両端に苗植杆７が取付けられて、２個で８条植のロータリー式の苗植ユニット２９となっている。歯輪３５が横軸３０に固定され、旋回軸３６に固定された歯輪３７と上記の歯輪３５とにチエン３８が巻き掛けられ、旋回軸３６の両端で旋回ケース３３が回転すると、その内の遊星歯車で苗植杆７が同じような姿勢を保って旋回するように出来ている。……」と、
(1-6)　段落【００１６】に、
「また、軸１３は、中央寄りで苗載台６と同じような角度にその下に設けられている。従って、苗植作業を終了したようなとき、それぞれの横移動シリンダ１５からピストンロッド１６を突出させ、つづいて回動シリンダ２０からピストンロッド２１を突出させる。すると、可動枠１７とともに左右の伝動歯車箱５と苗載台６が外側に移動して爪３１が爪２７から離れるとともに、案内棒１８の先が管１９から離れ、これにつづいて、側部枠１４が軸１３の回りに回動し、可動枠１７、伝動歯車箱５および苗載台６が、それぞれが上る方向に回動して折り曲げられる。なお、横移動シリンダ１５でピストンロッド１６が押し出されて苗載台６が外側に移動するとき、支柱４５が移動しないので、苗載台６の上端は、ローラ４７が横管４６上を転動して外側に移動する。折り曲げられた上記のユニットを元に戻すときは、上記の逆に作動する。」と、
(1-7)　段落【００１８】に、
「図１のように、中央枠８の後部から支杆５１が斜後下に伸び、後端に横軸５２が取付けられ、これからアーム５３が伸びてその下端に中央フロート５４の後部が取付けられ、アーム５３の後部の上下動で苗の植付深さが調節出来るようになっている。この中央フロート５４は、上から見てＴ字形に形成され、中央部の左右の苗植杆７の前方の泥土を整地するようになっている。この中央フロート５４の先端が泥面を滑走している際に上下に移動すると、シリンダ４に対してオイルが供給或は排出され、作業中の苗植装置２が泥面に対して一定の高さに維持されるように出来ている。それぞれの組の植付ケース３２の間に同じようなＴ字型の側部フロート５５が配置され、その横軸５６を前記の横軸５２と同じ位置に設け、可動枠１７の横移動で伝動歯車箱５が外側に移動すると、横軸５６が横軸５２から離れ、内側に移動すると、この両者が一体的に結合するように構成する。すると、すべてのフロート５４，５５が単一の操作レバーで上下に移動できる。」と、
　図面とともに、それぞれ記載されている。
　
　そうすると、引用例１には、
「複数のフロート５４，５５、複数の苗植杆７、苗載台６を夫々を備えると共に、苗植杆７に動力を伝達する軸、チェン及び歯輪を内蔵した伝動歯車箱５及び植付ケース３２に、下端にフロート５４，５５が取り付けられたアーム５３を上下動させることにより苗の植付深さを調節する横軸５２及び横軸５６を備え、この横軸５２及び横軸５６を単一の操作レバーの操作により苗植え付け深さを調節すべく８条植え用に構成した苗植装置２を走行車体１にリンク３で装着した苗植機であって、
　前記苗植装置２を、巾が狭くなった非使用状態と横巾が広くなった使用状態とに折り曲げ自在に構成し、前記伝動歯車箱５、植付ケース３２に対して互いに分離あるいは結合可能に構成されている軸２８及び横軸３０を介して動力伝達されるように構成すると共に、前記横軸５２と前記横軸５６とを、苗植装置２の前記折り曲げの動作に伴い分離あるいは一体的に結合するように構成して、前記苗植装置２の前記伝動歯車箱５及び植付ケース３２が使用状態から非使用状態となる折り曲げ動作に伴い、前記伝動歯車箱５及び植付ケース３２は軸２８と横軸３０とが分離されて折り曲げ動作され、前記横軸５２及び横軸５６は、前記苗植装置２の伝動歯車箱５及び植付ケース３２が使用状態から非使用状態となる折り曲げの動作に伴い分離され、使用状態にされると一体的に結合されるように構成してある苗植機。」との発明（以下、「引用発明」という。）が記載されているものと認められる。
　
（２）引用例２
　引用例２［実願昭５９−１６９５９８号（実開昭６１−８３８２４号）のマイクロフィルム］には、
(2-1)　第２頁第４−９行に、
「本考案は上記の点に鑑み考案されたもので、苗載台の苗取出し板を適宜可変させて植付爪による苗取出し量を調節するようにした構造において、前記苗取出し板を支持する調節軸を複数の植付駆動ケース上面に形成する凹部溝に支承させるように構成したものである。」と、
(2-2)　第７頁第２０行−第８頁第２０行に、
「以上実施例からも明らかなように本考案は、苗載台（１３）の苗取出し板（１５）を適宜可変させて植付爪（１４）による苗取出し量を調節するようにした構造において、前記苗取出し板（１５）を支持する調節軸（３５）を複数の植付駆動ケース（１７ａ）（１７ｂ）（１７ｃ）上面に形成する凹部溝（４０ａ）（４０ｂ）（４０ｃ）に支承させるものであるから、前記苗取出し板（１５）を１本の調節軸（３５）及び１本の調節レバー（３６）によって可変させる極めて簡単な手段によって全条均一な苗の取出し量調節を可能にできるもので、………また調節レバー（３６）と苗取出し板（１５）との間の力の伝達比も大とさせてこのレバー（３６）での操作荷重の軽減化を図って操作性を向上させ、この結果作業能率良く常に正確な苗取出し量の調節が行えるなど顕著な効果を奏する。」と、
　図面とともに、それぞれ記載されている。
　
３−２−２．本件発明１と引用発明との対比・検討
（１）対比
　引用発明の「複数のフロート５４，５５」「複数の苗植杆７」「苗載台６」「苗植杆７に動力を伝達する軸、チェン及び歯輪を内蔵した伝動歯車箱５及び植付ケース３２」「横軸５２及び横軸５６」「単一の操作レバー」「８条植え用に構成した苗植装置２」「走行車体１」「リンク３で装着」「苗植機」は、それぞれ本件発明１の「複数の整地フロート（１５）」「複数の植付アーム（１４）」「苗載せ台（１０）」「植付アーム（１４）に動力を伝達する機構を内蔵したケース（１１）（１２）」「植付け深さ調整軸（１７）」「単一の操作レバー（１９）」「複数条植え用に構成した苗植付装置（Ａ）」「走行機体」「連結」「田植機」に相当する。
　また、引用発明の「下端にフロート５４，５５が取り付けられたアーム５３を上下動させることにより苗の植付深さを調節する横軸５２及び横軸５６」は、引用発明を認定した引用例１の記載全体を参酌すると、フロート５４，５５と苗植杆７との相対位置の調整で苗植付深さを調節し、横軸５２及び横軸５６は横向き姿勢の軸芯周りで揺動自在であることは明らかであるので、本件発明１の「フロート（１５）と苗植付アーム（１４）との相対位置の調整で苗植付深さを調節するよう横向き姿勢の軸芯周りで揺動自在に植付深さ調節軸（１７）」に相当する。
　また、引用発明の「苗植装置２を、巾が狭くなった非使用状態と横巾が広くなった使用状態とに折り曲げ自在に構成し、伝動歯車箱５及び植付ケース３２に対して互いに分離あるいは結合可能に構成されている軸２８及び横軸３０を介して動力伝達されるように構成する」ことは、苗植装置２が格納姿勢である「非使用状態」と作業姿勢である「使用状態」とに切換え自在であり、伝動機構を収納したケースに対して軸を介して動力を伝達するものといえるから、本件発明１の「苗植付装置（Ａ）を、植付条単位で機体横方向への張出し量を減ずる格納姿勢と姿勢変更を行わない作業姿勢とに切換え自在に構成し、ケース（１１）（１２）に対してユニバーサルジョイントを備えた軸（４３）を介して動力伝達されるように構成する」こととは、「苗植付装置を、植付条単位で機体横方向への張出し量を減ずる格納姿勢と姿勢変更を行わない作業姿勢とに切換え自在に構成し、ケースに対して軸を介して動力伝達されるように構成する」ことで共通する。
　また、引用発明の「横軸５２と横軸５６とを、苗植装置２の折り曲げの動作に伴ない分離あるいは一体的に結合するように構成して、前記苗植装置２の伝動歯車箱５及び植付ケース３２が使用状態から非使用状態となる折り曲げ動作に伴い、前記伝動歯車箱５及び植付ケース３２は軸２８と横軸３０とが分離されて折り曲げ動作され、前記横軸５２及び横軸５６は、前記苗植装置２の伝動歯車箱５及び植付ケース３２が使用状態から非使用状態となる折り曲げの動作に伴い分離され、使用状態にされると一体的に結合されるように構成してある」ことは、苗植装置２の姿勢変更に伴い、横軸５２及び横軸５６が相互に分割あるいは結合可能であるから、それぞれ連結部を備えていることは明らかであり、苗植装置２の伝動歯車箱５及び植付ケース３２が作業姿勢へ姿勢変更され、横軸５２，５６が相互に一体的に結合した際には、回動することにより植付け調整を行うものであるから、本件発明１の「植付深さ調節軸（１７）に、苗植付装置（Ａ）の姿勢変更に伴ない分割と一体回転状態になる連結とを許容する連結部（Ｂ）を形成して、前記苗植付装置（Ａ）のケース（１１）（１２）が作業姿勢から格納姿勢となる姿勢変更に伴ない、前記ケース（１１）（１２）はユニバーサルジョイントを備えた軸（４３）を介して連結したまま姿勢変更され、前記連結部（Ｂ）は前記苗植付装置（Ａ）の前記ケース（１１）（１２）が作業姿勢から格納姿勢となる姿勢変更に伴ない分割され、作業姿勢に姿勢変更されると一体回転状態に連結されるように構成してある」こととは、「植付深さ調節軸に、苗植付装置の姿勢変更に伴ない分割と一体回転状態になる連結とを許容する連結部を形成して、前記連結部は前記苗植付装置の前記ケースが作業姿勢から格納姿勢となる姿勢変更に伴ない分割され、作業姿勢に姿勢変更されると一体回転状態に連結されるように構成してある」ことで共通する。
　
　そうすると、本件発明１と引用発明の両者は、「複数の整地フロート、複数の植付アーム、苗載せ台夫々を備えると共に、植付アームに動力を伝達する機構を内蔵したケースにフロートと苗植付アームとの相対位置の調整で苗植付深さを調節するよう横向き姿勢の軸芯周りで揺動自在に植付深さ調節軸を備え、この植付け深さ調整軸を単一の操作レバーに連結して該操作レバーの調節操作により苗植付け深さを調節すべく複数条植え用に構成した苗植付装置を走行機体に連結して成る田植機であって、前記苗植付装置を、植付条単位で機体横方向への張出し量を減ずる格納姿勢と姿勢変更を行わない作業姿勢とに切換え自在に構成し、前記ケースに対して軸を介して動力伝達されるように構成すると共に、前記植付深さ調節軸に、苗植付装置の姿勢変更に伴ない分割と一体回転状態になる連結とを許容する連結部を形成して、前記連結部は前記苗植付装置の前記ケースが作業姿勢から格納姿勢となる姿勢変更に伴ない分割され、作業姿勢に姿勢変更されると一体回転状態に連結されるように構成してある田植機」で一致し、以下の点で相違する。
　
・相違点１
　ケースに対して動力伝達する軸が、本件発明１では、苗植付装置（Ａ）のケース（１１）（１２）が作業姿勢から格納姿勢となる姿勢変更に伴い、ケース（１１）（１２）に連結したままとなるようにユニバーサルジョイントを備えているのに対し、引用発明では、苗植付装置のケースが作業姿勢から格納姿勢となる姿勢変更に伴い、互いに分離される一対の軸で構成されている点。
　
（２）相違点１についての検討
　引用発明の構成では、苗植付装置を格納姿勢から作業姿勢に姿勢変更したときに、引用例１の実施例における爪２７及び爪３１の不正噛合による、軸２８及び軸３０の連結不良が生じる虞があり、該連結を確実にするには作業姿勢に姿勢変更した際に、駆動軸の連結部に別途固定手段を設けて人手により爪同士を正確に噛合させる等が必須となるが、本件発明１の構成では、苗植付装置のケースが姿勢変更したとしても、ケースに対して動力伝達する軸は、常にケースに連結された状態となっているため、引用発明のような苗植付装置の姿勢変更に伴う動力伝達系の連結不良を生じさせる虞がない。
　そして、一般的に、伝動軸にユニバーサルジョイントを備えることが慣用手段であるとしても、動力伝達する互いに分離結合可能な軸をユニバーサルジョイントを備えた軸に置換することは慣用手段でも周知技術であるとも認められず、また、引用発明において、動力伝達する互いに分離結合可能な軸を、ユニバーサルジョイントを備えた軸に置き換えることの動機付けは見出せないので、相違点１に係る本件発明１の構成に到ることは当業者が容易になし得たものであるとはいえない。
　
　そして、前述したような苗植付装置の姿勢変更に伴う動力伝達系の連結不良を生じさせないという本件発明１に係る作用効果は、引用発明に基づいて、当業者が予測し得るものとは言えない。
　したがって、本件発明１は、引用発明に基づいて当業者が容易に発明をすることができたものであるとは認められない。
　よって、本件発明１の特許は、特許法第２９条第２項の規定に違反してされたものではない。
　
３−２−３．本件発明２と引用発明との対比・検討
　本件発明２と引用発明とを対比すると、本件発明２と引用発明とは、上記                           上記３−２−２の「（１）対比」及び「（２）相違点についての検討」において前述した本件発明１についての相違点１の他に、さらに次の点で相違し、その余は一致する。
　
・相違点２
　本件発明２が、植付アーム（１４）に動力を伝達する機構を内蔵したケース（１１）（１２）に苗載せ台（１０）を横方向に摺動自在に支持する摺動レール（２１）と苗植付アーム（１４）との相対位置の調整で苗取量を調節するよう横向き姿勢の軸芯周りで揺動自在に苗取量調節軸（２３）を備え、該苗取量調節軸（２３）に、苗植付装置（Ａ）の姿勢変更に伴ない分割と一体回転状態になる連結とを許容する連結部（Ｃ）を形成しているのに対して、引用発明は、そのような構成を備えていない点。
　
　しかしながら、本件発明２は、上記相違点１に係る本件発明１の構成を備え、当該相違点１に係る構成は、前述のとおり当業者が容易になし得たものではないから、当該相違点２については検討するまでもなく、本件発明２も本件発明１と同様に、引用発明に基づいて当業者が容易に発明をすることができたものであるとは認められない。
　
　したがって、本件発明２は、引用発明に基づいて当業者が容易に発明をすることができたものであるとは認められない。
　よって、本件発明２の特許は、特許法第２９条第２項の規定に違反してされたものではない。
　
４．むすび
　以上のとおりであるから、特許異議の申立ての理由によっては本件発明１及び２についての特許を取り消すことはできない。
　また、他に本件発明１及び２についての特許を取り消すべき理由も発見しない。
　したがって、本件発明１及び２についての特許は拒絶の査定をしなければならない特許出願に対してされたものと認めない。
　よって、特許法等の一部を改正する法律（平成６年法律第１１６号）附則第１４条の規定に基づく、特許法等の一部を改正する法律の施行に伴う経過措置を定める政令（平成７年政令第２０５号）第４条第２項の規定により、結論のとおり決定する。
【異議決定日】
平成１６年１１月２５日（２００４．１１．２５）
【訂正の要旨】
審決（決定）の【理由】欄参照。
（５４）【発明の名称】
田植機
（５７）【特許請求の範囲】
　【請求項１】　複数の整地フロート（１５）、複数の植付アーム（１４）、苗載せ台（１０）夫々を備えると共に、
植付アーム（１４）に動力を伝達する機構を内蔵したケース（１１）（１２）
　前記苗植付装置（Ａ）を、植付条単位で機体横方向への張出し量を減ずる格納姿勢と姿勢変更を行わない作業姿勢とに切換え自在に構成し、
前記ケース（１１）（１２）に対してユニバーサルジョイントを備えた軸（４３）を介して動力伝達されるように構成すると共に、
前記苗植付装置（Ａ）の前記ケース（１１）（１２）が作業姿勢から格納姿勢となる姿勢変更に伴ない、前記ケース（１１）（１２）は前記ユニバーサルジョイントを備えた軸（４３）を介して連結したまま姿勢変更され、前記連結部（Ｂ）は前記苗植付装置（Ａ）の前記ケース（１１）（１２）
　【請求項２】　複数の整地フロート（１５）、複数の植付アーム（１４）、苗載せ台（１０）夫々を備えると共に、
植付アーム（１４）に動力を伝達する機構を内蔵したケース（１１）（１２）
　前記苗植付装置（Ａ）を、植付条単位で機体横方向への張出し量を減ずる格納姿勢と姿勢変更を行わない作業姿勢とに切換え自在に構成し、
前記ケース（１１）（１２）に対してユニバーサルジョイントを備えた軸（４３）を介して動力伝達されるように構成すると共に、
前記苗植付装置（Ａ）の前記ケース（１１）（１２）が作業姿勢から格納姿勢となる姿勢変更に伴ない、前記ケース（１１）（１２）は前記ユニバーサルジョイントを備えた軸（４３）を介して連結したまま姿勢変更され、前記連結部（Ｃ）は前記苗植付装置（Ａ）の前記ケース（１１）（１２）
【発明の詳細な説明】
　【０００１】
　【産業上の利用分野】
　本発明は、苗植付装置を走行機体に連結して成る田植機に関し、詳しくは、苗植付装置の改良に関するものである。
　【０００２】
　【従来の技術】
　田植機に連結される苗植付装置は、マット状苗を載置する苗載せ台、このマット状苗の下端から苗を１株ずつ切出して圃場面に植付ける植付アーム、複数の整地フロート、及び、これらを駆動する伝動系等を有して構成され、従来、８条植え等の多条植え用の苗植付装置では横幅方向への寸法が大きく、機体から横方向に大きく突出する形態となるので、非作業時に路上等を走行する際には苗植付装置を機体から一旦分離し、この苗植付装置の姿勢を９０度回転させ（苗植付装置の横方向を機体の前後方向に設定し）、この苗植付装置の側端を機体に連結して牽引する形態として苗植付装置の機体から横方向への張出量を低減している。
　【０００３】
　また、田植機の移動時にトラックを利用する場合にも荷台幅内に収まるよう苗植付装置を機体から分離することも多く行われている。
　【０００４】
　【発明が解決しようとする課題】
　前述のように苗植付装置の姿勢を変更して機体に連結する作業は手間が掛かるばかりで無く、時間と労力を要することから改善の余地がある。
　この不都合を解消する目的で、苗植付装置を植付条単位で分割し、この分割物をリンク部材等を介して姿勢変更自在に連結することで、機体横方向への張出し量を減ずる格納姿勢に切換え自在に構成することも考えられる。
　【０００５】
　しかし、従来からの苗植付装置では伝動ケース等に対して整地フロートを支持するアームの揺動姿勢の変更によって、圃場面と植付アームの作動軌跡との上下方向の相対距離を変化させて苗の植付深さを調節する植付深さ調節軸を苗植付装置の略全幅に亘って形成しているので、前述のよう苗植付装置を植付条単位で分割して格納姿勢に切換える場合には、この植付深さ調節軸が分割の妨げなることも考えられる。
　【０００６】
　また、従来からの苗植付装置では伝動ケース等に摺動レールを介して支持される苗載せ台に載置したマット状苗と植付アームの作動軌跡との相対距離を変化させて苗取り量を調節する苗取量調節軸を苗植付装置の略全幅に亘って形成しているので、前述のよう苗植付装置を植付条単位で分割して格納姿勢に切換える場合には、この植付深さ調節軸が分割の妨げなることも考えられる。
　【０００７】
　尚、これらの軸を、苗植付装置の分割部位毎に複数に分割して、操作時には夫々の軸を別個に操作するよう構成することも考えられるが、操作が煩わしいものとなるばかりでなく、操作忘れが発生することも考えられ改善の余地がある。
　【０００８】
　本第１発明の目的は、植付深さ調節軸に妨げられず苗植付装置の機体横方向への張出し量を減ずる格納姿勢への変更を可能にすると共に、植付深さの調節を容易に行える田植機を構成する点にあり、また、本第２発明の目的は、苗取量調節軸に妨げられず苗植付装置の機体横方向への張出し量を減ずる格納姿勢への変更を可能にすると共に、苗取量の調節を容易に行える田植機を合理的に構成する点ある。
　【０００９】
　【課題を解決するための手段】
　本第１発明の特徴は、複数の整地フロート、複数の植付アーム、苗載せ台夫々を備えると共に、
植付アームに動力を伝達する機構を内蔵した
　前記苗植付装置を、植付条単位で機体横方向への張出し量を減ずる格納姿勢と姿勢変更を行わない作業姿勢とに切換え自在に構成し、
前記ケースに対してユニバーサルジョイントを備えた軸を介して動力伝達されるように構成すると共に、
前記苗植付装置の前記ケースが作業姿勢から格納姿勢となる姿勢変更に伴ない、前記ケースは前記ユニバーサルジョイントを備えた軸を介して連結したまま姿勢変更され、前記連結部は前記苗植付装置の前記ケース
　【００１０】
　本第２発明の特徴は、複数の整地フロート、複数の植付アーム、苗載せ台夫々を備えると共に、
植付アームに動力を伝達する機構を内蔵した
　前記苗植付装置を、植付条単位で機体横方向への張出し量を減ずる格納姿勢と姿勢変更を行わない作業姿勢とに切換え自在に構成し、
前記ケースに対してユニバーサルジョイントを備えた軸を介して動力伝達されるように構成すると共に、
前記苗植付装置の前記ケースが作業姿勢から格納姿勢となる姿勢変更に伴ない、前記ケースは前記ユニバーサルジョイントを備えた軸を介して連結したまま姿勢変更され、前記連結部は前記苗植付装置の前記ケース
　【００１１】
　【作用】
　上記第１発明（請求項１）の特徴によると、苗植付装置を格納姿勢に切換える際には、植付深さ調節軸を連結部の部位で分割しておく、若しくは、分割を許す状態に設定しておき、苗植付装置の機体横方向への張出し量を減ずる姿勢に変更することで、格納操作を行い得るものとなり、逆に、格納姿勢から作業姿勢に切換え操作する場合には、苗植付装置の姿勢変更と共に
植付アームに動力を伝達する機構を内蔵した
尚、植付アームに動力を伝達する機構を内蔵したケースは、該ケースが作業姿勢から格納姿勢となる姿勢に姿勢変更されてもユニバーサルジョイントを備えた軸を介して連結されたままで、前記ケースに動力が伝達される動力伝達系（軸）は分離されない。
　【００１２】
　つまり、植付深さ調節軸を分割及び連結自在に構成することにより、格納姿勢への切換えの妨げにならず、作業姿勢では単一の操作レバーの操作で全植付条の植付深さを調節できるものとなる。
　【００１３】
　上記第２発明（請求項２）の特徴によると、苗植付装置を格納姿勢に切換える際には、苗取量調節軸を連結部の部位で分割しておく、若しくは、分割を許す状態に設定しておき、苗植付装置の機体横方向への張出し量を減ずる姿勢に変更することで、格納操作を行い得るものとなり、逆に、格納姿勢から作業姿勢に切換え操作する場合には、苗植付装置の姿勢変更と共に
植付アームに動力を伝達する機構を内蔵した
尚、植付アームに動力を伝達する機構を内蔵したケースは、該ケースが作業姿勢から格納姿勢となる姿勢に姿勢変更されてもユニバーサルジョイントを備えた軸を介して連結されたままで、前記ケースに動力が伝達される動力伝達系（軸）は分離されない。
　【００１４】
　つまり、苗取量調節軸を分割及び連結自在に構成することにより、格納姿勢への切換えの妨げにならず、作業姿勢では単一の操作レバーの操作で全植付条の苗取量を調節できるものとなる。
　【００１５】
　【発明の効果】
　従って、植付深さ調節軸に妨げられず苗植付装置の機体横方向への張出し量を減ずる格納姿勢への変更を可能にすると共に、植付深さの調節を容易に行える田植機が構成され、また、苗取量置調節軸に妨げられず苗植付装置の機体横方向への張出し量を減ずる格納姿勢への変更を可能にすると共に、苗取量の調節を容易に行える田植機が合理的に構成されたのである。
　【００１６】
　【実施例】
　以下、本発明の実施例を図面に基づいて説明する。
　図１１に示すように、ステアリング操作される駆動型の前車輪１、及び、駆動型の後車輪２を備えた走行機体３の前部にエンジン４を搭載すると共に、この走行機体３の中央部に運転座席５を配置し、走行機体３の後端部に対し昇降シリンダ６で駆動昇降するリンク機構７を介して苗植付装置Ａを連結して乗用型の田植機を構成する。
　【００１７】
　前記運転座席５の側部に苗植付装置Ａの昇降制御と植付クラッチ（図示せず）の入り切り操作とを行う昇降レバー８を備え、又、運転座席５の側部には変速レバー９を備えている。尚、植付クラッチは走行機体３から苗植付装置Ａへの伝動系に介装され、苗植付装置Ａを制御する。
　【００１８】
　苗植付装置Ａはマット状苗Ｗを載置する苗載せ台１０、走行機体３から動力が伝えられる左右一対の伝動ケース１１、この伝動ケース１１からチェーンケース１２を介して伝えられる動力で回転するロータリケース１３、このロータリケース１３に一対ずつ備えられた植付アーム１４、４つの整地フロート１５夫々を備えて８条植え用に構成され、作業時には苗載せ台１０に載置されたマット状苗Ｗの下端から苗を植付アーム１４が１株ずつ切出して圃場面に植え付けるものとなっている。
　【００１９】
　図１及び図４に示すように、伝動ケース１１の下面に対して屈伸リンク１６を介して前記整地フロート１５の前部を支持すると共に、該伝動ケース１１の下面に横向き姿勢の軸芯周りで回動自在に備えた植付深さ調節軸１７に連結したアーム１８の揺動端に整地フロート１５の後部を揺動自在に連結支持してあり、植付深さ調節軸１７に連結した操作レバー１９をレバーガイド２０の所定位置に係止固定することで整地フロート１５、即ち、圃場面Ｓと、植付アーム１４、即ち、植付アーム１４の植付爪の作動軌跡Ｔとの相対的な位置関係を変更して植付深さを調節できるよう構成してある。
　【００２０】
　また、苗載せ台１０を左右方向の往復移動自在に支持する摺動レール２１を、苗載せ台１０の載置面に沿う方向に位置変更できるよう、該摺動レール２１に連結された軸部材２２をチェーンケース１２にスライド自在に支持してあり、また、伝動ケース１１の上面に横向き姿勢の軸芯周りに回動揺動自在に支持した苗取量調節軸２３に形成したアーム部材２４の揺動端を摺動レール２１の下面の係合部材２５に係合させ、該苗取量調節軸２３に連結した操作レバー２６をレバーガイド２７の所定位置に係止固定することで、摺動レール２１、即ち、苗載せ台１０に載置したマット状苗Ｗと、植付アーム１４、即ち、植付アーム１４の植付爪の作動軌跡Ｔとの相対的な位置関係を変更して苗取量を調節できるよう構成してある。
　【００２１】
　そして、これら植付深さ調節軸１７、苗取量調節軸２３夫々は後述するように苗植付装置Ａを分割して格納姿勢に切換える動作を妨げないよう、この分割部位で分離自在に連結する連結部Ｂ，Ｃを形成している。つまり、図２（イ）、（ロ）に示すように、植付深さ調節軸１７はパイプ材を用いてあり、連結部Ｂは非円形の嵌合孔２８と、この嵌合孔２８に係入して該植付深さ調節軸１７を一体回転させる先細状の嵌合片２９とを備えて構成され、また、苗取量調節軸２３は中実の部材を用いてあり、連結部Ｃは、図３（イ）、（ロ）に示すように、スリット状の係合溝３０Ａを有する筒状部材３０と、この筒状部材３０に差し込んだ状態で係合溝３０Ａに係合するピン３１Ａを有する先細状の嵌入部材３１とを備えて構成されている。
　【００２２】
　この田植機では苗植付装置Ａを４条ずつに２分割自在に構成し、この分割物の分割物の姿勢を変更して機体の横方向への張出し量を減ずる格納姿勢と、分割を行わない作業姿勢とに切換え自在に構成してある。
　【００２３】
　即ち、図５及び図６に示すように、前記リンク機構７の後端に連結される昇降フレーム３２の両側部に形成した第１ブラケット３３に対して縦向き軸芯の第１支軸３４周りで揺動自在に第１アーム３５を連結し、この第１アーム３５の揺動端に縦向き軸芯の第２支軸３６周りで揺動自在に第２アーム３７を連結し、この第２アーム３７の揺動端に縦向き軸芯の第３支軸３８周りで揺動自在に左右の植付フレーム３９，３９に形成した第２ブラケット４０を連結する。
　【００２４】
　植付フレーム３９には４条ずつに２分割された苗載せ台１０Ａ、整地フロート１５、及び、前記左右の伝動ケース１１が支持され、機体からの動力が伝えられる出力軸４１からの動力が、この伝動ケース１１に対してベベルケース４２、中間軸４３を介して伝えられる。尚、ベベルケース４２と中間軸４３とは一体的に出力軸４１から分離自在に構成され、中間軸４３は筒状軸にスプライン嵌合状態に軸体を内嵌する構造により伸縮自在に構成され、また、両端部にユニバーサルジョイントを備えることにより屈曲自在に構成されている。
　【００２５】
　このように苗植付装置Ａを構成したことにより、図７に示す如く、作業姿勢の苗植付装置Ａを格納姿勢に切換える場合には、左右の苗載せ台１０を連結するロック機構（図示せず）、左右の植付フレーム３９を連結するロック機構（図示せず）夫々のロックを解除し、前記出力軸４１からベベルケース４２を分離し、摺動レール２１の連結を解除した後（図示せず）、苗植付装置Ａの分割物を人為的に夫々機体横方向に引き出して図８に示す如く、分割物同士を大きく離間させた状態で、人為的に苗植付装置Ａの内方側が機体後方に向かう姿勢に回転させることにより図９及び図１０に示す姿勢の格納姿勢に切換えられるものとなる。
　【００２６】
　そして、このように格納姿勢に切換える際には植付深さ調節軸１７、苗取量調節軸２３夫々の連結部Ｂ，Ｃが自ずと分離し苗植付装置Ａの格納姿勢への姿勢変更を許容し、前述の操作と逆の操作で苗植付装置Ａを作業姿勢に切換える場合には、植付深さ調節軸１７、苗取量調節軸２３夫々の連結部Ｂ，Ｃが自ずと連結状態に達して、単一の操作レーバ１９，２６の操作によって全条の植付深さの調節、苗取量の調節を行えるものとなっている。
　【００２７】
　〔別実施例〕
　本発明は上記実施例以外に、例えば、苗植付装置を格納姿勢に変更する動作を油圧シリンダ、電動モータ等のアクチュエータを用いて行うよう構成することも可能であり、植付深さ調節軸、苗取量調節軸夫々の連結部を、例えば、バックル型の構造のものを用い、人為操作で連結状態と分離状態とに切換え自在となるよう構成すること可能である。
　【００２８】
　尚、特許請求の範囲の項に図面との対照を便利にするために符号を記すが、該記入により本発明は添付図面の構成に限定されるものではない。
【図面の簡単な説明】
　【図１】
　植付深さ調節軸、苗取量調節軸を表す苗植付装置の概略平面図
　【図２】
　（イ）は植付深さ調節軸の連結部の側面図
　（ロ）は植付深さ調節軸の連結部の断面図
　【図３】
　（イ）は苗取量調節軸の連結部の側面図
　（ロ）は苗取量調節軸の連結部の断面図
　【図４】
　植付深さ調節軸、苗取量調節軸が配置された部位の側面図
　【図５】
　作業姿勢の苗植付装置の概略平面図
　【図６】
　格納姿勢の苗植付装置の概略平面図
　【図７】
　苗植付装置を作業姿勢に設定した田植機の平面図
　【図８】
　苗植付装置を分割した状態の田植機の平面図
　【図９】
　苗植付装置を格納姿勢に設定した田植機の平面図
　【図１０】
　格納姿勢に設定した苗植付装置の後面図
　【図１１】
　田植機の全体側面図
　【符号の説明】
　１０　　苗載せ台
　１４　　植付アーム
　１５　　整地フロート
　１７　　植付深さ調節軸
　２１　　摺動レール
　２３　　苗取量調節軸
　Ａ　　　苗植付装置
　Ｂ　　　連結部
　Ｃ　　　連結部